(57)【要約】      （修正有）【課題】  屋外に据えつけることが可能で、一般家庭、オフィスなど住宅内の電力、通信、ＣＡＴＶ等の保安用接地例を統合して一点で接続するため各種接地が共通化された接地用収納キャビネットを得る。【解決手段】  ベース本体１と、該ベース本体１に覆うことができ取り外し自在或いは開閉自在のカバー体２とから筐体３を構成し、前記ベース本体１に筐体３の内部を仕切って分離する仕切板４を立設し、この仕切板４の片面に電力用機器Ａを取り付けると共に、仕切板４の片面に、通信用機器Ｂを配備しすると共に、電力線成端器１２に接続される避雷器用過電流遮断器７に接続され、さらに通信線、ＣＡＴＶ線、光ファイバーなどの情報線１３を接続して、前記電力用機器Ａおよび通信用機器Ｂの接地線を統合した一点で接続するアース端子台１５を収納配備した。【選択図】    図１
2005051943.tif 000002
【特許請求の範囲】
【請求項１】
積算電力量計器に接続される電源用避雷器、避雷器用過電流遮断器と、配電用の電力線を接続または分岐接続するための端子のある電力線成端器とを備えた電力用機器と、通信用保安器、ＣＡＴＶ用保安器、接地接続導体と、通信線、ＣＡＴＶ線、光ファイバーなどの情報線を接続するための端子のある成端器とを備えた通信用機器と、接地線を接続するための接地線固定部とを収納する筐体が、ベース本体とカバー体とからなる接地用収納キャビネットにおいて、  
前記電力用機器と、通信用機器とを備えるベース本体と、電力用機器と、通信用機器とを覆いベース本体に取り外し自在或いは開閉自在に被せられるカバー体とから筐体を構成し、該ベース本体に筐体内を仕切って分離する仕切板を設け、該仕切板に電力用機器と、通信用機器とを分離取付けて筐体内に収納すると共に、前記電力線成端器に接続される避雷器用過電流遮断器に接続され、さらに通信線、ＣＡＴＶ線、光ファイバーなどの情報線を接続して、前記電力用機器および通信用機器の接地線を統合した一点で接続するアース端子台を設けたことを特徴とする接地用収納キャビネット。  
【請求項２】
請求項１記載の接地用収納キャビネットにおいて、前記接地線接続導体が、銅または銅系合金、アルミニウム、鉄を素材として、最低２０ｋＡ以上のサージ電流を流すことがてきることを特徴とする接地用収納キャビネット。
【請求項３】
請求項１または請求項２記載の接地用収納キャビネットにおいて、前記電源用避雷器が、動作したときに報知しうる表示部を備えていることを特徴とする接地用収納キャビネット。
【請求項４】
請求項２、請求項３または請求項４記載の接地用収納キャビネットにおいて、前記積算電力量計器に接続される電源用避雷器、避雷器用過電流遮断器と、電力線を接続または分岐接続する電力線用端子とに配線を済ませてユニット化して、前記ベース本体に立設された前記仕切板に設けたことを特徴とする接地用収納キャビネット。
【請求項５】
請求項２、請求項３または請求項４記載の接地用収納キャビネットにおいて、前記カバー体が、ベース本体の下側に開閉できるようにヒンジ部によってベース本体に連結され、該ベース本体に立設された仕切板の上側に前記筐体の補強と収納機器類の防滴用の天板を備えたことを特徴とする接地用収納キャビネット。
【請求項６】
請求項２、請求項３または請求項４記載の接地用収納キャビネットにおいて、前記カバー体がベース本体に前後方向に摺動自在に嵌合されて開閉できるようにスライダ部によってベース本体に連結されたことを特徴とする接地用収納キャビネット。    
【請求項７】
請求項２、請求項３または請求項４記載の接地用収納キャビネットにおいて、前記カバー体が、前後方向に幅を持たせベース本体の両側面に開閉できるようにヒンジ部によってベース本体に連結され、該ベース本体を分離する仕切板の片側を選択して開放できる構成としたことを特徴とする接地用収納キャビネット。
【請求項８】
請求項５、請求項６または請求項７記載の接地用収納キャビネットにおいて、前記カバー体が、前後方向に幅を持たせ、ベース本体の片側面に開閉できるようにヒンジ部によってベース本体に連結され、該ベース本体を分離する仕切板の両側に電力用機器と、通信用機器とを分離取付けて筐体内に収納することを特徴とする接地用収納キャビネット。
【発明の詳細な説明】
【技術分野】
【０００１】
本発明は、屋外に据えつけることが可能で、一般家庭、オフィスなど住宅内の電力、通信、ＣＡＴＶ等の保安用接地例えば、各種家電製品、情報通信機器の接地線を一点で接続させて各種機器類の接地が共通化された接地用収納キャビネットに関するものである。
【背景技術】
【０００２】
従来、落雷によって発生する強い電磁界が近くの電力線や通信線に影響を与えることは知られており、電力線と通信線の両方に接続された電子機器類が雷サージによって瞬時に大電流が流れて故障や破損の原因になるので、多様化する情報線、例えば電話、ＣＡＴＶに加え光ファイバーなどの情報線が引き込め、信号配線用と電力配線用との接地線は、別々の地点でアレスターへの接続ができるようにし、落雷時に各種機器類に悪影響を及ぼすことがないようにしたものであった。  
ところが一般住宅には、配電用の避雷素子を含む保安器が未設置で、共通設置を行なうには保安器の設置が前提となり接続用端子や設置場所の配置が接地バーとの関係で配慮しなくてはならない。
特に、電力用機器と、通信用保安器、ＣＡＴＶ用保安器などの通信用機器とを一括して筐体内に収納するキャビネットが市販されるにいたって、制御盤ボックスや電磁シールドボックス、コントロールボックスなどとしていろいろな形態のキャビネットが提案されて用いられている。
【０００３】
防雷用配電盤は、一つの筐体内に入力線が接続されて接地される防雷用のアレスターを内装した防雷用配電盤において、電源線などの強電配線に接続される強電用アレスターと、通信線などの信号配線に接続される信号用アレスターとの種類の異なるアレスターを筐体内に内装されていることが記載されている（特許文献１参照）。
【特許文献１】特開平１０−１１７４０９号公報
【発明の開示】
【発明が解決しようとする課題】
【０００４】
この種類の異なるアレスターを筐体内に内装されている防雷用配電盤は、強電配線用と信号配線用とが同一地点でアレスターへの接続ができるようにして、作業性の向上を図り電磁誘導などによって間接的に生じた雷電流からの影響を無くすことができるようにはなったが、強電配線用と信号配線用とが筐体内で並設されているため、信号配線用の配線や各種機器類の設備の点検や設備良否の検査、点検などの保守や作業が必要になったときに、本来電力配線系の積算電力量計器等はやたらに作業員や住人に手を付けてもらいたくない機器類まで現地で点検や作業できる状態になっていて設備の維持管理上に不安があって問題があった。    
また、この防雷用配電盤は、電力線を接続または分岐接続可能とするための電力線用端子を含む電力機器類が混在しているため通信機器類の配線作業や点検作業の際に作業上、誤った作業や不用意な作業で感電の虞れがあって安全性に欠ける欠点があり、作業上取り扱い不便であるばかりか、機器類の安全性維持にも支障来す虞れがあった。
【０００５】
本発明は、これら従来の欠点や不便さを排除しようとするもので、筐体内に備えた仕切板への機器取付けによって電力機器類と、情報通信機器類の明確な分離ができコンパクトで安全性の高い接地用収納箱として用いられ、その設置も簡便に行うことができ、しかも点検補修時にカバーを取り外したのち十分な作業スペースが確保でき、電力用機器、通信用機器の明確な分離ができているので、誤配線や誤操作などの誤作業を起こす心配もなく取り扱いも簡単で、安全に行うことができ取り扱い時間の短縮化と簡易化を図ることにある。  
さらに本発明では、電力用機器類と情報通信用機器類との設定時に作業者が別であることを考慮して、電力用機器類と情報通信用機器類とを分離して設置してあるため、作業や保守が必要になっても、誤作業が生じることがなく収納機器類の点検、保守が容易に行え、情報通信用機器類を取り扱う場合、作業員や住人は電力機器類を触る必要がなく感電の危険も少なく、作業の安全性を保ち、しかも施工作業や住宅の維持管理が容易であり、保守点検作業も簡便に行うことができる低コストの接地用収納キャビネットを提供することを目的としている。  
【課題を解決するための手段】
【０００６】
本発明は、積算電力量計器に接続される電源用避雷器、避雷器用過電流遮断器と、配電用の電力線を接続または分岐接続するための端子のある電力線成端器とを備えた電力用機器と、通信用保安器、ＣＡＴＶ用保安器、接地接続導体と、通信線、ＣＡＴＶ線、光ファイバーなどの情報線を接続するための端子のある成端器とを備えた通信用機器と、接地線を接続するための接地線固定部とを収納する筐体が、ベース本体とカバー体とからなる接地用収納キャビネットにおいて、前記電力用機器と、通信用機器とを備えるベース本体と、電力用機器と、通信用機器とを覆いベース本体に取り外し自在或いは開閉自在に被せられるカバー体とから筐体を構成し、該ベース本体に筐体内を仕切って分離する仕切板を設け、該仕切板に電力用機器と、通信用機器とを分離取付けて筐体内に収納すると共に、前記電力線成端器に接続される避雷器用過電流遮断器に接続され、さらに通信線、ＣＡＴＶ線、光ファイバーなどの情報線を接続して、前記電力用機器および通信用機器の接地線を統合した一点で接続するアース端子台を設けたことにより、設置場所に自由度があって、コンパクトで体裁良好なキャビネットとして、床面上或いは屋外の特設場所での設置も簡便に行うことができ、しかも点検時の作業が簡単にでき取り扱いの簡易化を図ることができる。      
【０００７】
また、本発明の接地用収納キャビネットにおいて、前記接地線接続導体が、銅または銅系合金、アルミニウム、鉄を素材として、最低２０ｋＡ以上のサージ電流を流すことがてき、さらにこの接地用収納キャビネットにおいては、前記電源用避雷器が、動作したときに報知しうる表示部を備えていることで、電力用機器と通信用機器との相互間で接触や絶縁破壊をすることを防ぎ、設置時での電力用と通信用との作業者が別であることと、また保守時での取扱い者の住人が片側を触る必要がなく感電の危険も減少でき安全性を大幅に高め、点検保守も簡便に行うことができる。                                              
【０００８】
さらに本発明では、前記積算電力量計器に接続される電源用避雷器、避雷器用過電流遮断器と、電力線を接続または分岐接続する電力線成端器とに配線を済ませてユニット化して、前記ベース本体に立設された前記仕切板に設けたことにより、各機器類の現地は配線工事が必要なく屋外での作業時間の短縮化が図れ、誤配線の防止、機器類の配置ずれやケーブルの乱雑化の防止に寄与できる。
【０００９】
さらにまた、本発明の接地用収納キャビネットは、前記カバー体が、ベース本体の下側に開閉できるようにヒンジ部によってベース本体に連結され、該ベース本体に立設された仕切板の上側に前記筐体の補強と収納機器類の防滴用の天板を備えたことや、前記カバー体がベース本体に前後方向に摺動自在に嵌合されて開閉できるようにスライダ部によってベース本体に連結されたこと、また、前記カバー体が、前後方向に幅を持たせベース本体の両側面または片側面に開閉できるようにヒンジ部によってベース本体に連結され、該ベース本体を分離する仕切板の片側を選択して開放できる構成としたことにより、各機器の取り扱いの安全性と作業の簡易化とが図られ、しかも点検補修時にカバーを取り外したのち十分な作業スペースが確保でき、電力機器類、通信機器類の明確な分離ができているので、誤配線や誤操作などの誤作業を起こす心配もなく取り扱いも簡単で、安全に行うことができ取り扱い時間の短縮化と簡易化を図ることにある。
【発明の効果】
【００１０】
本発明は、積算電力量計器に接続される電源用避雷器、避雷器用過電流遮断器と、配電用の電力線を接続または分岐接続するための端子のある電力線成端器とを備えた電力用機器と、通信用保安器、ＣＡＴＶ用保安器、接地接続導体と、通信線、ＣＡＴＶ線、光ファイバーなどの情報線を接続するための端子のある成端器とを備えた通信用機器と、接地線を接続するための接地線固定部とを収納する筐体が、ベース本体とカバー体とからなる接地用収納キャビネットにおいて、前記電力用機器と、通信用機器とを備えるベース本体と、電力用機器と、通信用機器とを覆いベース本体に取り外し自在或いは開閉自在に被せられるカバー体とから筐体を構成し、該ベース本体に筐体内を仕切って分離する仕切板を設け、該仕切板に電力用機器と、通信用機器とを分離取付けて筐体内に収納すると共に、前記電力線成端器に接続される避雷器用過電流遮断器に接続され、さらに通信線、ＣＡＴＶ線、光ファイバーなどの情報線を接続して、前記電力用機器および通信用機器の接地線を統合した一点で接続するアース端子台を設けたことにより、設置場所に自由度があって、コンパクトで体裁良好なキャビネットとして、床面上或いは屋外の特設場所での設置も簡便に行うことができ、しかも電力機器類と、情報通信機器類の明確な分離ができて誤配線や誤操作などの誤作業を起こす心配もなく取り扱いも簡単で、安全に行うことができるので、取り扱い時間の短縮化と簡易化が図られ、さらに安全性の高い接地用収納箱として用いられる。  
さらに本発明では、電力用機器類と情報通信用機器類との設定時に作業者が別であることを考慮して、電力用機器類と情報通信用機器類とを分離して設置してあるため、作業や保守が必要になっても、誤作業が生じることがなく収納機器類の点検、保守が容易に行え、情報通信用機器類を取り扱う場合、作業員や住人は電力機器類を触る必要がなく感電の危険も少なく、作業の安全性を保ち、しかも施工作業や住宅の維持管理が容易であり、保守点検作業も簡便に行うことができる低コストの接地用収納キャビネットにを提供すること点検時の作業が簡単にでき取り扱いの簡易化を図ることができる。  
【００１１】
また、本発明では接地線接続導体が、銅または銅系合金、アルミニウム、鉄を素材として、最低２０ｋＡ以上のサージ電流を流すことがてき、さらにこの接地用収納キャビネットにおいては、前記電源用避雷器が動作したときに報知しうる表示部を備えていることで、電力用機器と通信用機器との相互間で接触や絶縁破壊をすることを防ぎ、設置時での電力用と通信用との作業者が別であることと、また保守時での取扱い者の住人が片側を触る必要がなく感電の危険も減少でき安全性を大幅に高め、点検保守も簡便に行うことができる。      
【００１２】
さらに本発明では、前記積算電力量計器に接続される電源用避雷器、避雷器用過電流遮断器と、電力線を接続または分岐接続する電力線用端子とに配線を済ませてユニット化して、前記ベース本体に立設された前記仕切板に設けたことにより、各機器類の現地は配線工事が必要なく屋外での作業時間の短縮化が図れ、誤配線の防止、機器類の配置ずれやケーブルの乱雑化の防止に寄与できる。
【００１３】
さらにまた、本発明の接地用収納キャビネットは、前記カバー体が、ベース本体の下側に開閉できるようにヒンジ部によってベース本体に連結され、該ベース本体に立設された仕切板の上側に前記筐体の補強と収納機器類の防滴用の天板を備えたことや、前記カバー体がベース本体に前後方向に摺動自在に嵌合されて開閉できるようにスライダ部によってベース本体に連結されたこと、また、前記カバー体が、前後方向に幅を持たせベース本体の両側面または片側面に開閉できるようにヒンジ部によってベース本体に連結され、該ベース本体を分離する仕切板の片側を選択して開放できる構成としたことにより、各機器の取り扱いの安全性と作業の簡易化とが図られ、しかも点検補修時にカバーを取り外したのち十分な作業スペースが確保でき、電力機器、通信機器の明確な分離ができているので、誤配線や誤操作などの誤作業を起こす心配もなく取り扱いも簡単で、安全に行うことができ取り扱い時間の短縮化と簡易化を図ることができる等の効果がある。
【発明を実施するための最良の形態】
【００１４】
以下、本発明の第１実施の形態を図１〜図３の図面を参照して説明する。
この実施の形態におけるキャビネットは、ベース本体１と、該ベース本体１に覆うことができ取り外し自在のカバー体２とから筐体３を構成し、前記ベース本体１に筐体３の内部を左右に仕切って分離する仕切板４を中央位置に立設して設け、この仕切板４の一方の片面に配線を含み積算電力量計器Ｃ及び分電盤Ｄに接続される過電流遮断器の電源用避雷器５と、該電源用避雷器５の作動時を表示する表示部６、サージ防護デバイスとしての分岐用過電流遮断器の避雷器用過電流遮断器７とを備えた電力用機器Ａを取り付けると共に、仕切板４の他方の片面に配線を含み接地接続導体８、通信用保安器９、ＣＡＴＶ用保安器１０などの通信用機器Ｂを取付けると共に、配電用の電力線１１が接続または分岐接続するための電力線用端子を備えた電力線成端器１２に接続される避雷器用過電流遮断器７に接続され、さらに通信線、ＣＡＴＶ線、光ファイバーなどの情報線１３を接続して、前記電力用機器Ａおよび通信用機器Ｂの接地線を統合した一点で接続するアース端子台１５を収納配備できるようになっている。
【００１５】
前記筐体３としては、前記電力用機器Ａと、通信用機器Ｂとを取り付けられるベース本体１と、該ベース本体１に上から或いは前方から被せられ、電力用機器Ａと、通信用機器Ｂとを覆うカバー体２とから筐体３を構成し、該ベース本体１とカバー体２とを着脱自在のバンド部材１６によって取り外し自在に固定保持し、さらに前記ベース本体１に筐体内を仕切り分離する仕切板４を設け、該仕切板４の両面に電力用機器Ａと、通信用機器Ｂとを分離取付けて筐体３内に収納できるようにしてあり、電力線１１及び情報線１３が引き込め、ケーブル把持具１４で適宜配線保持し接続される各接続端子または分岐用端子によって電力用機器Ａと、通信用機器Ｂとの接地線をアース端子台１５に統合して一点で接続したことで、設置場所に自由度があって、コンパクトで体裁良好なキャビネットとして、屋外の特設場所での設置も簡便に行うことができ、しかも保守点検作業時には、前記バンド部材１６を外してカバー体２をベース本体１から取り外して、前後左右に充分な作業スペースかあって電力用機器Ａと、通信用機器Ｂとを分離状態で操作することができる。（図１及び図２）
【００１６】
この場合、このカバー体２は、第１の実施例では、ベース本体１に取り外し自在に嵌合したが、第２の実施例のようにベース本体１の前面下側にヒンジ部１７によってカバー体２を開閉自在にヒンジ部２３で連結して、ハンドル２４を持ってカバー体２をベース本体１の前面下方側にヒンジ部２３を中心にして回動させて開放され、電力用機器Ａと、通信用機器Ｂとが露出されて各種の作業の取扱い操作をしやすくし、ベース本体１にカバー体２が接続して保持され、カバー体２の置場や着脱用スペースを配慮しないで用いられ、作業性、取り扱いの簡易化を図ることができる形態のものを選んで、家屋壁面、屋外設置および引き込み柱などのポール設置の設置場所に対応したものにするのがよい。（図３〜図５）
前記筐体３のべース体１は、取付金具２６を介してポールなどの設定位置にはバンド取付けで固定するか、家屋壁面などにはボルト取付け或いはネジ止めによって固定するのがよく、またカバー体２は、べース体１にフック鍵部材２７などの係止部材で掛けしめできるようにし、錠前２８によってセキュリティを高めるようにするのがよい。      
【００１７】
また、図６〜図８の第３実施例のように、前記カバー体２は、ベース本体１に摺動自在に嵌挿させた形態で、例えば前記カバー体２がベース本体１に前後方向に摺動自在に嵌合されて開閉できるようにスライダ部２９によってベース本体１に連結されたことで、ベース本体１からカバー体２を前方向或いは一側方向にスライドさせて引き抜き取り外すように構成して、カバー体２を開いた筐体周囲に充分な作業スペースがあるように考慮することもできる。
この場合、前記カバー体２は、前例と同様にべース体１にフック鍵部材２７などの係止部材で掛けしめできるようにするのがよく、必要に応じて錠前２８を付設して防犯やいたずら防止の安全性を維持することが考慮される。  
【００１８】
さらに、前記ベース本体１に立設された仕切板４の上側に前記筐体３の補強を兼ね収納機器類の防滴用の天板１８を備えたことや、前記カバー体２が、前後方向に幅を持たせベース本体１の両側面または片側面に開閉できるようにヒンジ部１７によってベース本体１に連結され、該ベース本体を分離する仕切板の片側を選択して開放できる構成としたことにより、各機器の取り扱いの安全性と作業の簡易化とが図られ、しかも点検補修時にカバーを取り外したのち十分な作業スペースが確保でき、電力機器、通信機器の明確な分離ができているので、誤配線や誤操作などの誤作業を起こす心配もなく取り扱いも簡単で、安全に行うことができ取り扱い時間の短縮化と簡易化が容易に図ることことができる。（図９〜図１１）      
【００１９】
さらにまた、壁面設置用として前記筐体３をできるだけ薄型とするため、扉側となるカバー体２に奥行き分の幅を持たせて、該カバー体２が片側面に開閉できるようにヒンジ部１９によってベース本体１に連結され、仕切片２０で区画した取付板２１に電力用機器Ａと、通信用機器Ｂとが分離配置され、各機器類の成端器２４およびアース端子台２５を配備する形態とするのも好適例である。（図１２および図１３）
【００２０】
前記接地用収納キャビネット内の前記接地線接続導体８は、銅または銅系合金、アルミニウム、鉄を素材として、最低２０ｋＡ以上のサージ電流を流すことがてきるものが用いられ、必要に応じ接地用収納キャビネット設置用のポール或いは置き台若しくは家屋壁面などを選んで設けることもできる。さらにこの接地用収納キャビネットにおいては、前記電源用遮断器５が、動作したときに報知しうる表示部６例えば、ランプ、ブザー等で外部に知らせる機能を有していることで、電力用機器と通信用機器との相互間で接触や絶縁破壊をすることを防ぎ得るようにすることや保守の簡素化図ることができる。
【００２１】
さらに本発明では、過電流遮断器（メイン開閉器）としての前記電源用避雷器５、分岐用過電流遮断器としての避雷器用過電流遮断器７と、電力線用成端器１２とを配線を済ませてユニット化して  前記ベース本体１に立設された仕切板４に設けたことにより、各機器類の現地は配線工事が必要なく屋外での作業時間の短縮化が図れ、誤配線の防止、機器類の配置ずれやケーブルの乱雑化の防止に寄与できるようにするのがよい。
この場合、電力用機器Ａと通信用機器Ｂとの設置時並びに作業者も別であることと、また保守時での取扱い者の住人が電力側の片側を触る必要がないことを考慮して、電力用機器Ａと通信用機器Ｂとの相互間で接触や絶縁破壊をすることや、感電の危険を防ぐのに、前記仕切板４の表裏に分離して電力用機器Ａと通信用機器Ｂを配置するのがよい。
【００２２】
なお、前記電力用機器Ａとしては、電源用避雷器のほかに分岐用過電流遮断器、漏電用遮断器、接地付きコンセント等が必要に応じ付設され、この電力線用接地と通信線用接地が共通化された場合の接地関係を望ましい配置で行えるよう必要となる接続用端子や接地箇所が選んで用いられ、分電盤に設置される接地バーおよび屋外の土壌内に設置される接地極を備えた接地端子函を適宜設けるようにしてある。
特に、耐雷性（弱）の通信線使用のパソコンや電力線使用の通信機器（ＴＥＬ、ＦＡＸなど）のほか、耐雷性（中）の電力線を使用しない通信機器（ＴＥＬ、ＦＡＸなど）や通信線を使用しない家電機器（電子レンジ、その他の電子機器、冷蔵庫ほか）さらに給湯装置、エアコンなど、モータ若しくは屋外機器等の動力機器、家屋などの保護が確実に行われるように、進入する雷サージを建物の入口で未然に防御できるようにしてある。
【図面の簡単な説明】
【００２３】
【図１】本発明に係る第１実施例のキャビネットを示し、（ａ）はその横断面図、（ｂ）は、その縦断面図である。
【図２】図１の例のキャビネットの使用状態を示し、（ａ）は裏面側から見た一部切欠背面図、（ｂ）はその縦断面図である。
【図３】本発明の第２実施例の例のキャビネットを示し、（ａ）はその正面縦断面図、（ｂ）は、その側面縦断面図である。
【図４】図３の例のキャビネットの使用状態を示し、（ａ）はその横断面図、（ｂ）はその縦断面図である。
【図５】図３の例のキャビネットのカバー体を開放した状態の斜視図である。
【図６】本発明の第３実施例の例のキャビネットを示し、（ａ）はその横縦断面図、（ｂ）は、その縦断面図である。
【図７】図６の例のキャビネットの使用状態を示し、（ａ）は前面縦断面図、（ｂ）はその後面縦断面図である。
【図８】図６の例のキャビネットのカバー体を開放した分離状態の斜視図である。
【図９】本発明の第４実施例のキャビネットを示し、（ａ）はその横縦断面図、（ｂ）は、その縦断面図である。
【図１０】図９の例のキャビネットの使用状態を示し、（ａ）は前面縦断面図、（ｂ）はその後面縦断面図である。
【図１１】図９の例のキャビネットのカバー体を開放した状態の斜視図である。
【図１２】本発明の第５実施例キャビネットの使用状態を示し、（ａ）はその横縦断面図、（ｂ）は、その前面縦断面図、（ｃ）は側面縦断面図である。
【図１３】図１２の例のキャビネットのカバー体を開放した状態の斜視図である。
【符号の説明】
【００２４】
Ａ    電力用機器      
Ｂ    通信用機器    
Ｃ    積算電力量計器
Ｄ    分電盤
１    ベース本体
２    カバー体    
３    筐体                                                                      ４    仕切板
５    電源用避雷器
６    表示部            
７    避雷器用過電流遮断器
８    接地接続導体  
９    通信用保安器        
１０    ＣＡＴＶ用保安器
１１    電力線  
１２    成端器
１３    情報線      
１４    ケーブル把持具
１５    アース端子台
１６    バンド部材  
１７    ヒンジ部  
１８    天板  
１９    ヒンジ部  
２０    仕切片
２１    取付け板
２２    ハンドル
２３    ヒンジ部
２４    成端器      
２５    アース端子台
２６    取付金具    
２７    鍵部材
２８    錠前
２９    スライダ部材
【図１】
2005051943.tif 000003
【図２】
2005051943.tif 000004
【図３】
2005051943.tif 000005
【図４】
2005051943.tif 000006
【図５】
2005051943.tif 000007
【図６】
2005051943.tif 000008
【図７】
2005051943.tif 000009
【図８】
2005051943.tif 000010
【図９】
2005051943.tif 000011
【図１０】
2005051943.tif 000012
【図１１】
2005051943.tif 000013
【図１２】
2005051943.tif 000014
【図１３】
2005051943.tif 000015